(57)【要約】      （修正有）【課題】フィルター洗浄機構を備えた空気清浄機の構造の提供。【解決手段】本体ケース１内の下方及び上方にそれぞれ吸気口１０及び排気口１１を設け、該排気口に対応してモーター２０によって駆動されるファン２を設け、吸気口の上方に位置して複数層のフィルター３を設け、クリーニング装置４は、集水トレー４０、複数のスプリンクラー４１、貯水タンク４２及びポンプモーター４３を備え、該集水トレーは、上記複数層のフィルターの下方に斜めに設置すると共にその底部の排水口４００を排水管４０１に接続し、上記複数のスプリンクラー４１は、上記複数層のフィルターの上方に設け、該貯水タンク４２に洗剤注入パイプを接続し、該貯水タンクと該ポンプモーター及び該スプリンクラーの間を導水管によって接続して、洗剤を含んだ水を上記複数層のフィルター上方に散水するようにした。【選択図】図３
0003221830.tif 000002
【実用新案登録請求の範囲】
【請求項１】
本体ケースを含み、
該本体ケース内の下方及び上方にそれぞれ吸気口及び排気口を設け、
該本体ケース内において、該排気口に対応する位置にモーターによって駆動されるファンを設け、
該本体ケース内に複数層のフィルター及びクリーニング装置を設け、該複数層のフィルターは該吸気口の上方に位置し、
該クリーニング装置は、集水トレー、複数のスプリンクラー、貯水タンク及びポンプモーターを設け、
該集水トレーは、上記複数層のフィルターの下方に斜めに設置すると共に該集水トレー底部の位置に排水口を設け、
該複数のスプリンクラーは、上記複数層のフィルターの上方に設け、
該貯水タンク及び該ポンプモーターは、上記本体ケース内の底部に設け、該貯水タンクに洗剤注入パイプを接続し、該貯水タンクと該ポンプモーター及び該スプリンクラーの間は導水管によって接続されて、洗剤を含んだ水を上記複数層のフィルター上方に散水するようにしたことを特徴とする空気清浄機の構造。
【考案の詳細な説明】
【技術分野】
【０００１】
本考案は、クリーニング装置を具有し、自動的にフィルターをクリーニングできる空気清浄機の構造に関する。
【背景技術】
【０００２】
工業テクノロジーの普及に伴う産業の迅速な発展により、近年スモッグによる被害、空気汚染が大変ひどくなっている。空気中の微粒子が人体の健康を脅かし、ダメージを与えているため、空気清浄機はもはや様々な場所に設置する必需品の一つである。
従来の空気清浄機は主に本体内に例えば前置フィルター、強力フィルター及び活性炭フィルター…など多層のフィルターを設置し、モーターを介してファンを駆動し、外部の空気を本体内に吸入し、本体内に吸入された空気は、順に前置フィルター、強力フィルター及び活性炭フィルターなどを経てろ過することで空気清浄の効果を達成する。
しかし、空気清浄機内のフィルターは頻繁に取り外してクリーニング或いは交換してこそ、空気清浄機のろ過効果をベストな状態に維持することができ、消耗エネルギーを下げることができる。しかし、頻繁にフィルターを取り外してクリーニング或いは交換するのは大変面倒であり、時間と労力を費やすことであり、使用上大変不便であることを鑑みて、更なる改善が必要であった。
【先行技術文献】
【特許文献】
【０００３】
【特許文献１】特開平８−２２９３３３号公報
【考案の概要】
【考案が解決しようとする課題】
【０００４】
従来の構造の空気清浄機をクリーニングする際に存在する欠点を解決するため、本考案は自動的にフィルターをクリーニングできる空気清浄機を提供することを主な課題とする。
【課題を解決するための手段】
【０００５】
上述の目的を解決するために、本考案は空気清浄機の構造を提供するものである。主に本体ケースを設ける。該本体ケースの上に吸気口及び排気口を設け、該本体ケース内において、該排気口に対応する位置にファンを設ける。該ファンはモーターによって動かされる。該本体ケース内に複数層のフィルター及びクリーニング装置を設ける。該複数層のフィルターは該吸気口の上方に位置する。
該クリーニング装置は集水トレー、複数のスプリンクラー、貯水タンク及びポンプモーターを設ける。該集水トレーは該複数層のフィルターの下方に斜めに設置する。該集水トレーは底部の位置に排水口を設ける。該複数のスプリンクラーは該複数層のフィルターの上方に設ける。該貯水タンク及び該ポンプモーターは該本体ケース内の底部に設ける。該貯水タンクの上に洗剤注入パイプを設ける。該貯水タンクと該ポンプモーター及び該スプリンクラーの間は導水管によって接続されている。
【０００６】
本考案の空気清浄機の長所は、フィルターを本体ケースから取り外す必要がなく、自動的に本体ケース内にある複数層のフィルターをクリーニングすることができ、フィルターを取り外して設置する時間及びクリーニングする手間を省くことができ、ベストな使用便利性を具有する。
【考案の効果】
【０００７】
本考案の空気清浄機の内部にクリーニング装置を設けることで、定時に、且つ便利迅速に自動的に内部にある複数層のフィルターを洗浄することができる。人力及び費用を節約できるとともに、随時空気清浄機より最良の空気を送り出すことができ、大変便利に使用することができる。
【図面の簡単な説明】
【０００８】
【図１】本考案の実施例の立体図である。
【図２】本考案の実施例の空気清浄時の使用略図である。
【図３】本考案の実施例のフィルターをクリーニングする時の使用略図である。
【考案を実施するための形態】
【０００９】
以下、本考案の構造と使用目的および効果、採用する技術手段を、最良実施例と図面を参照しながら詳細に説明する。
【実施例】
【００１０】
図１及び図２に示すように、本考案の実施例は主に本体ケース１を設ける。該本体ケース１の上に吸気口１０及び排気口１１を設け、該本体ケース１内において、該排気口１１に対応する位置にファン２を設ける。該ファン２は一つのモーター２０によって動かされる。
該本体ケース１内に複数層のフィルター３及びクリーニング装置４を設ける。該複数層のフィルター３は、該吸気口１０の上方に位置する。該複数層のフィルター３は前置フィルター、強力フィルター及び活性炭フィルター…などからなるものとすることができる。
該クリーニング装置４は、集水トレー４０、複数のスプリンクラー４１、貯水タンク４２及びポンプモーター４３を設ける。該集水トレー４０は該複数層のフィルター３の下方に斜めに設置する。該集水トレー４０は底部の位置に排水口４００を設ける。該排水口４００は本体ケース１の壁面に対応して一つの排水管４０１を設ける。該複数のスプリンクラー４１は該複数層のフィルター３の上方に設ける。該スプリンクラー４０に複数の噴水孔４１０を設ける。該貯水タンク４２及び該ポンプモーター４３は該本体ケース１内の底部に設ける。該貯水タンク４２の上に洗剤注入パイプ４２０を設ける。該貯水タンク４２と該ポンプモーター４３及び該複数のスプリンクラー４１の間は導水管４４によって接続され、蓋１２は、該本体ケース１に蓋合するよう設置する。本考案の空気清浄機は、以上に記述される構造により構成される。
【００１１】
空気清浄機を使用する際、図２に示すように、モーター２０の運転により二つのファン２を回転させ、ファン２の回転により本体ケース１外部の空気を、吸気口１１から本体ケース１内に吸引し、外部空気は本体ケース１の複数層のフィルター３にて何度もろ過され、ろ過したクリーンな空気は、上にある排気口１１から排出される。このようにして空気清浄の効果を達成する。
【００１２】
図３に示すように、本体ケース１内部のフィルターをクリーニングする際、洗剤を洗剤注入パイプ４２０から貯水タンク４２内に入れ、更にポンプモーター４３により、貯水タンク４２内の洗剤を含んだ水を導水管４４によりスプリンクラー４１内に導引し、各噴水孔４１０より洗剤を含んだ水を散水する。スプリンクラー４１の下方にある複数層のフィルター３のクリーニングを行い、クリーニング後の廃水は複数層のフィルター３の下方にある集水トレー４０内に集まる。集水トレー４０は斜めに設置するため、廃水は自動的に下方にある排水口４００にまで流れ、本体ケース１の側壁面にある排水管４０１から排出される。このように、本考案の空気清浄機の内部にクリーニング装置４を設け、定時に、且つ便利迅速に自動的に内部にある複数層のフィルター３を洗浄することができる。
人力作業により複数のフィルターを一つ一つ取り外して洗う必要がなく、人力及び費用を節約することができるとともに、随時空気清浄機より最良の空気が送り出され、使用上大変便利である。
【００１３】
以上の実施例による本考案の詳細な説明は本考案の範囲を制限するものではない。本技術に熟知する者が、本考案の範囲内にて変更や調整を行っても、本考案の重要な意義は失われず、本考案の範囲に含まれる。
【符号の説明】
【００１４】
１  本体ケース
１０  吸気口
１１  排気口
１２  蓋
２  ファン                  
２０  モーター
３  フィルター
４  クリーニング装置
４０  集水トレー                
４００  排水口
４０１  排水管              
４１  スプリンクラー                
４１０  噴水孔
４２  貯水タンク                
４２０  洗剤注入パイプ          
４３  ポンプモーター
４４  導水管
【図１】
0003221830.tif 000003
【図２】
0003221830.tif 000004
【図３】
0003221830.tif 000005